(57)【特許請求の範囲】
【請求項１】
基地局装置と、送信機能を備えていない無線受信機とを備える固定系の無線通信システムにおいて、
前記基地局装置は、
前記無線受信機に対して更新の日時を示す更新日時情報が含まれる更新用コンフィグ情報、及び更新の日時を示す前記更新日時情報が含まれる更新指示信号を送信する送信部と、
同一の前記更新用コンフィグ情報を前記送信部から複数回送信し、その後、前記更新指示信号を前記送信部から送信するよう制御する遠隔制御部とを備え、
前記無線受信機は、
前記基地局装置から、前記更新用コンフィグ情報、及び前記更新指示信号を受信する受信部と、
前記更新用コンフィグ情報及び更新前コンフィグ情報を記憶する記憶部と、
前記更新用コンフィグ情報を新たに受信すると、既に受信済の前記更新用コンフィグ情報と同一か否かを判断して、同一であれば、新たに受信した前記更新用コンフィグ情報を破棄し、同一でなく新しければ、前記記憶部に記憶された前記更新用コンフィグ情報を新たに受信した前記更新用コンフィグ情報で置き換え、
前記更新用コンフィグ情報に含まれる前記更新日時情報に示された更新の日時の前に、更新を行う日時に装置の電源を切らないように音声又は文字で報知を行い、
前記更新用コンフィグ情報に含まれる前記更新日時情報に示された更新の日時までに前記更新指示信号を受信できなかった場合、又は前記更新用コンフィグ情報と整合性のない前記更新指示信号を受信した場合には、更新エラーを音声又は文字で報知し、
前記更新用コンフィグ情報と整合性のある前記更新指示信号を受信した場合、整合性のある前記更新用コンフィグ情報により、受信した前記更新指示信号に含まれる前記更新日時情報に示された前記更新の日時に、前記更新前コンフィグ情報を更新する制御部とを備える
ことを特徴とする無線通信システム。
【請求項２】
基地局装置と、送信機能を備えていない無線受信機とを備える固定系の無線通信システムの無線受信機において、
前記基地局装置から、更新の日時を示す更新日時情報が含まれる更新用コンフィグ情報、及び更新の日時を示す前記更新日時情報が含まれる更新指示信号を受信する受信部と、
前記更新用コンフィグ情報及び更新前コンフィグ情報を記憶する記憶部と、
前記更新用コンフィグ情報を新たに受信すると、既に受信済の前記更新用コンフィグ情報と同一か否かを判断して、同一であれば、新たに受信した前記更新用コンフィグ情報を破棄し、同一でなく新しければ、前記記憶部に記憶された前記更新用コンフィグ情報を新たに受信した前記更新用コンフィグ情報で置き換え、
前記更新用コンフィグ情報に含まれる前記更新日時情報に示された更新の日時の前に、更新を行う日時に装置の電源を切らないように音声又は文字で報知を行い、
前記更新用コンフィグ情報に含まれる前記更新日時情報に示された更新の日時までに前記更新指示信号を受信できなかった場合、又は前記更新用コンフィグ情報と整合性のない前記更新指示信号を受信した場合には、更新エラーを音声又は文字で報知し、
前記更新用コンフィグ情報と整合性のある前記更新指示信号を受信した場合、整合性のある前記更新用コンフィグ情報により、受信した前記更新指示信号に含まれる前記更新日時情報に示された前記更新の日時に、前記更新前コンフィグ情報を更新する制御部とを備える
ことを特徴とする無線受信機。
【発明の詳細な説明】
【技術分野】
【０００１】
本発明は、無線通信システム及び無線受信機に係り、特に固定系無線通信システムのコンフィグ情報を電波送信により更新可能な無線通信システム及び無線受信機に関する。
【背景技術】
【０００２】
従来から、市町村防災用の無線通信システムや、地域振興波を利用して町内会等の小規模エリアへの放送を対象とした地区放送システム等の、いわゆる「固定系」と呼ばれる無線通信システムが存在する。
この固定系無線通信システムは、屋外に設置された屋外受信機や各家庭等の屋内に固定設置された戸別受信機等の無線受信機に対して、基地局から一方的な音声信号の送信、つまり放送を行う。この際、無線受信機側では、コスト的な制約があり、通常、送信機能を備えていないことが多い。
【０００３】
固定系無線通信システムは、自治体の合併等で受信機群の設定を変更したり、引っ越しにより個別の無線受信機の地区や所属グループ等を変更する場合、コンフィグ情報（ｃｏｎｆｉｇｕｒａｔｉｏｎ  ｉｎｆｏｒｍａｔｉｏｎ）を更新する必要がある。コンフィグ情報は、固定系無線通信システムの運用上必要な、各無線受信機の設定情報である。
無線受信機のコンフィグ情報を書き換えるためには、サービスマン等がコンフィグ情報書換え装置（図示せず）を直接、無線受信機に接続し、所定手順で更新用のコンフィグ情報を当該無線受信機に書き込むことができる。
しかしながら、サービスマン等が、多数の無線受信機のコンフィグ情報をいちいち書き換えるのは、手間もコストもかかる。このため、無線通信で、無線受信機にコンフィグ情報を受信させ、無線受信機自体の制御で書き換えを行う方式も用いられている。
【０００４】
ここで、図６を参照して、従来の固定系無線通信システムである無線通信システムＹのコンフィグデータ１３１（コンフィグ情報）の書き換えの例について説明する。
無線通信システムＹは、基地局装置３と、屋外受信機や各家庭の屋内にある戸別受信機等である無線受信機２３とを含んで構成される。
基地局装置３は、防災無線や地区放送等で音声放送／文字放送により音声信号／文字信号を送信する放送を行い、加えて、コンフィグデータ１３１の送信を行う。また、無線受信機２３は、コンフィグデータ１３１を受信して書き換えを行うことができる。
具体的に説明すると、基地局装置３は、送信部１０と、放送卓１１と、遠隔制御部１３を備えている。
送信部１０は、ＲＦ（Ｒａｄｉｏ  Ｆｒｅｑｕｅｎｃｙ）増幅部や、アンテナ等を含んで、所定の通信方式でデジタル無線通信を行う基地局設備である。送信部１０は、音声放送の音声信号と、文字放送の文字信号を電波信号として送信する。また、送信部１０は、コンフィグデータ１３１を含む各種のデータを文字列等に変換し「電文」の電波信号として送信することもできる。
放送卓１１は、マイクロフォンや各種スイッチャーを備え、固定系無線システムの管理者が音声や文字等で放送を行ったり、コンフィグ情報を送信したりするためのコンソール等の入力手段である。
遠隔制御部１３は、遠隔地等から放送内容を登録したりシステムのメンテナンスを行うための遠隔情報更新手段である。遠隔制御部１３は、コンフィグデータ１３１を記憶している。
【０００５】
まず、無線通信により、無線受信機２３のコンフィグデータ１３１を書き換える場合、基地局装置３の遠隔制御部１３が、コンフィグデータ１３１を、放送卓１１及び送信部１０に送信する。
放送卓１１及び送信部１０は、コンフィグデータ１３１と更新の指示情報とを合わせて無線通信用の電波信号に変換し、無線受信機２３へ送信する。
無線受信機２３は、電波信号を受信して復号化する。この上で、無線受信機２３は、復号化されたデータをチェックサム等をチェックした上で、内容を解析し、更新の指示情報とコンフィグデータ１３１に変換する。
無線受信機２３は、符号化されたコンフィグデータ１３１のチェックサム等が正しい場合に、そのままフラッシュメモリ等の記憶部（図示せず）に記憶されたコンフィグデータ１３１を書き換える。
【０００６】
ここで、特許文献１を参照すると、従来の固定系無線通信システムとして、上述の従来例のように、受信した更新指示に従い無線端末局を動作させるプログラム配布及び更新方法を備えた無線通信システムが記載されている（以下、従来技術１とする。）。
【先行技術文献】
【特許文献】
【０００７】
【特許文献１】特開２００９−１７１１４号公報
【発明の概要】
【発明が解決しようとする課題】
【０００８】
しかしながら、従来技術１のような固定系無線通信システムＹでは、電波状況が悪い等の原因により、無線受信機２３で無線通信用データが正しく受信できなかった場合は、受信したコンフィグデータ１３１は破棄され、書き換えは行われなかった。
また、無線受信機２３は、無線通信用データの受信時や更新時に無線受信機２３の電源がＯＦＦとなっていた場合もコンフィグデータ１３１の書き換えが正しく行われないという問題があった。
ここで、固定系無線通信システムの無線受信機２３は、受信専用の装置であることが多く、更新の成否を基地局装置３に通知することが不可能であった。
このため、電波信号でコンフィグ情報を更新する際の失敗確率を低減する無線通信システムが必要とされていた。
【０００９】
本発明は、このような状況に鑑みてなされたものであり、上述の課題を解消することを課題とする。
【課題を解決するための手段】
【００１０】
本発明の無線通信システムは、基地局装置と、送信機能を備えていない無線受信機とを備える固定系の無線通信システムにおいて、前記基地局装置は、前記無線受信機に対して更新の日時を示す更新日時情報が含まれる更新用コンフィグ情報、及び更新の日時を示す前記更新日時情報が含まれる更新指示信号を送信する送信部と、同一の前記更新用コンフィグ情報を前記送信部から複数回送信し、その後、前記更新指示信号を前記送信部から送信するよう制御する遠隔制御部とを備え、前記無線受信機は、前記基地局装置から、前記更新用コンフィグ情報、及び前記更新指示信号を受信する受信部と、前記更新用コンフィグ情報及び更新前コンフィグ情報を記憶する記憶部と、前記更新用コンフィグ情報を新たに受信すると、既に受信済の前記更新用コンフィグ情報と同一か否かを判断して、同一であれば、新たに受信した前記更新用コンフィグ情報を破棄し、同一でなく新しければ、前記記憶部に記憶された前記更新用コンフィグ情報を新たに受信した前記更新用コンフィグ情報で置き換え、前記更新用コンフィグ情報に含まれる前記更新日時情報に示された更新の日時の前に、更新を行う日時に装置の電源を切らないように音声又は文字で報知を行い、前記更新用コンフィグ情報に含まれる前記更新日時情報に示された更新の日時までに前記更新指示信号を受信できなかった場合、又は前記更新用コンフィグ情報と整合性のない前記更新指示信号を受信した場合には、更新エラーを音声又は文字で報知し、前記更新用コンフィグ情報と整合性のある前記更新指示信号を受信した場合、整合性のある前記更新用コンフィグ情報により、受信した前記更新指示信号に含まれる前記更新日時情報に示された前記更新の日時に、前記更新前コンフィグ情報を更新する制御部とを備えることを特徴とする無線通信システム。
本発明の無線受信機は、基地局装置と、送信機能を備えていない無線受信機とを備える固定系の無線通信システムの無線受信機において、前記基地局装置から、更新の日時を示す更新日時情報が含まれる更新用コンフィグ情報、及び更新の日時を示す前記更新日時情報が含まれる更新指示信号を受信する受信部と、前記更新用コンフィグ情報及び更新前コンフィグ情報を記憶する記憶部と、前記更新用コンフィグ情報を新たに受信すると、既に受信済の前記更新用コンフィグ情報と同一か否かを判断して、同一であれば、新たに受信した前記更新用コンフィグ情報を破棄し、同一でなく新しければ、前記記憶部に記憶された前記更新用コンフィグ情報を新たに受信した前記更新用コンフィグ情報で置き換え、前記更新用コンフィグ情報に含まれる前記更新日時情報に示された更新の日時の前に、更新を行う日時に装置の電源を切らないように音声又は文字で報知を行い、前記更新用コンフィグ情報に含まれる前記更新日時情報に示された更新の日時までに前記更新指示信号を受信できなかった場合、又は前記更新用コンフィグ情報と整合性のない前記更新指示信号を受信した場合には、更新エラーを音声又は文字で報知し、前記更新用コンフィグ情報と整合性のある前記更新指示信号を受信した場合、整合性のある前記更新用コンフィグ情報により、受信した前記更新指示信号に含まれる前記更新日時情報に示された前記更新の日時に、前記更新前コンフィグ情報を更新する制御部とを備えることを特徴とする。
【発明の効果】
【００１１】
本発明によれば、コンフィグ情報の更新を音声又は表示にて報知することで、コンフィグ情報の更新の失敗確率を低減する無線通信システム及び無線受信機を提供することができる。
【図面の簡単な説明】
【００１２】
【図１】本発明の実施の形態に係る無線通信システムＸのシステム構成図である。
【図２】本発明の実施の形態に係る無線受信機２０−１の制御構成を示すブロック図である。
【図３】本発明の実施の形態に係る更新用コンフィグデータ１２１及び更新指示データ１２２の概念図である。
【図４】本発明の実施の形態に係る基地局装置１によるコンフィグ情報送信制御処理のフローチャートである。
【図５】本発明の実施の形態に係る無線受信機２０−１によるコンフィグ情報受信制御処理のフローチャートである。
【図６】従来の固定系の無線通信システムＹのシステム構成図である。
【発明を実施するための形態】
【００１３】
＜実施の形態＞
〔無線通信システムＸの制御構成〕
まず、図１を参照して、本発明の実施の形態に係る無線通信システムＸ（無線通信システム）について、図面を参照して詳しく説明する。
無線通信システムＸは、従来の無線通信システムＹ（図６）と同様に防災無線や地区放送システムとして用いられる固定系無線システムである。図１において、図６と同じ符号の構成部位は、同様の構成であることを示す。
【００１４】
無線通信システムＸは、基地局装置１及び受信機群２から構成される。
基地局装置１は、従来の基地局装置３と同様に、主に固定系無線通信の音声／文字放送を電波送信するセンター側設備である。基地局装置１は、電波送信により、受信機群２の各無線受信機２０−１〜２０−ｎの更新用コンフィグデータ１２１（更新用コンフィグ情報）を送信する。また、基地局装置１は、日時等を指定して、更新指示信号（更新起動電文）である更新指示データ１２２を送信することができる。
受信機群２は、屋外受信機や屋内の戸別受信機等の受信専用の端末装置群である。受信機群２の各無線受信機２０−１〜２０−ｎは、それぞれ複数のグループに属している。各無線受信機２０−１〜２０−ｎは、基地局装置１から同じグループ（後述）向けに送信された音声／文字放送の電波信号を受信する。各無線受信機２０−１〜２０−ｎは、受信した電波信号を音声情報又は文字情報に変換し、文字や音声として出力する。また、無線受信機２０−１〜２０−ｎは、更新用コンフィグデータ１２１を受信して、更新前コンフィグデータ２１２（図２）を書き換え、更新することもできる。
【００１５】
基地局装置１は、送信部１０（送信手段、基地局手段）、放送卓１１（更新情報送信指示手段）、遠隔制御部１２（遠隔情報更新手段）を含んで構成される。
このうち、送信部１０及び放送卓１１は、従来の基地局装置３（図６）と同様の構成部位である。
【００１６】
遠隔制御部１２は、従来の遠隔制御部１３と同様にメンテナンス等に用いられる機器である。
遠隔制御部１２は、ＣＰＵ等の制御手段とＨＤＤやフラッシュメモリ等の記憶手段を備えている。
遠隔制御部１２は、受信機群２の各受信機２０−１〜２０−ｎのグループ分けや放送の周波数、及び更新の日時等、管理者により設定された情報を基に、更新用コンフィグデータ１２１や更新指示データ１２２を作成し、記憶手段に記憶する。
そして、遠隔制御部１２は、更新用コンフィグデータ１２１を、更新の日時までに、送信部１０から複数回送信して、受信機群２で対応する無線受信機２０−１〜２０−ｎに受信させる。これにより、確実に更新用コンフィグデータ１２１を受信させられる。
この上で、遠隔制御部１２は、更新の日時までに、更新指示信号として更新指示データ１２２を送信して、この更新指示データ１２２で指定された日時に、実際の更新を行わせる。
更新用コンフィグデータ１２１及び更新指示データ１２２の構成の詳細については後述する。
【００１７】
〔無線受信機２０−１の構成〕
次に、図２を参照して、無線受信機２０−１〜２０−ｎの構成について説明する。以下では、戸別受信機である無線受信機２０−１を代表例として説明する。
無線受信機２０−１は、家庭及び公共施設等に設置された固定系無線通信の受信機である。
無線受信機２０−１は、制御部２００（制御手段）と、記憶部２１０（記憶手段）と、表示部２２０（表示手段）と、音声出力部２３０（音声出力手段）と、受信部２４０（電波受信手段）と、電源部２５０（電源手段）とを備えて構成される。
【００１８】
制御部２００は、ＣＰＵ（Ｃｅｎｔｒａｌ  Ｐｒｏｃｅｓｓｉｎｇ  Ｕｎｉｔ）、ＭＰＵ（Ｍｉｃｒｏ  Ｐｒｏｃｅｓｓｉｎｇ  Ｕｎｉｔ）、マイクロコントローラ（Ｍｉｃｒｏ  Ｃｏｎｔｒｏｌｅｒ、マイコン）、ＤＳＰ（Ｄｉｇｉｔａｌ  Ｓｉｇｎａｌ  Ｐｒｏｃｅｓｓｏｒ）等の制御演算部位である。
制御部２００は、記憶部２１０の制御プログラム２１１を用いて、各種処理を行う。
また、制御部２００は、水晶振動子等を分周した所定のクロックで動作しており、制御プログラム２１１により現在時間や経過時間を計測するクロック手段として用いることができる。
【００１９】
記憶部２１０は、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＮＡＮＤ／ＮＯＲ型フラッシュメモリ、相変化メモリ、磁気メモリ、ＨＤＤ（Ｈａｒｄ  Ｄｉｓｋ  Ｄｒｉｖｅ）等を用いて構成される記憶部位である。
記憶部２１０は、後述する各種プログラムやデータを記憶している。
【００２０】
表示部２２０は、ＬＥＤ（Ｌｉｇｈｔ  Ｅｍｉｔｔｉｎｇ  Ｄｉｏｄｅ）、ＬＣＤ（Ｌｉｑｕｉｄ  Ｃｒｙｓｔａｌ  Ｄｉｓｐｌａｙ）、蛍光表示管、有機・無機ＥＬ（Ｅｌｅｃｔｒｏ  Ｌｕｍｉｎｅｓｃｅｎｃｅ）ディスプレイ、電子ペーパー、ＦＥＤ（Ｆｉｅｌｄ  Ｅｍｉｓｓｉｏｎ  Ｄｉｓｐｌａｙ）等の表示装置である。
表示部２２０は、ＬＥＤ等の簡単な点灯部位のみで構成されている場合、点灯するＬＥＤの色や組み合わせで、無線受信機２０−１の状態を報知する。たとえば、表示部２２０は、更新用コンフィグデータ１２１が更新される所定期間前に、ＬＥＤをインジケータとして点灯させ、電源をＯＦＦにしないよう、無線受信機２０−１のユーザに報知することができる。また、更新終了後に無事に更新が終了したり、更新エラーが起こった場合にも、ＬＥＤにてユーザに報知することができる。
また、表示部２２０は、ドットマトリクス等で文字表示できる場合、文字データを文字として表示できる。この場合、表示部２２０は、更に、文字表示にて更新の情報やエラー情報を表示することもできる。
【００２１】
音声出力部２３０は、音声波形データの復号化手段、Ｄ／Ａ（Ｄｉｇｉｔａｌ  ｔｏ  Ａｎａｌｏｇ）コンバータ、アンプ、及びスピーカ等である音声出力手段を備える部位である。
音声出力部２３０は、基地局装置１から受信した音声情報を、復号化して出力することができる。また、音声出力部２３０は、更新用コンフィグデータ１２１の書き換えのエラー時に、警報音や警報音声による報知に用いることができる。このため、音声出力部２３０は、音声合成シンセサイザや音声波形データ等を備えていてもよい。
【００２２】
受信部２４０は、アンテナや復号器を備える固定系無線通信の受信手段である。
受信部２４０は、基地局装置１からの無線通信用の電波信号を受信して、受信した電波信号を復号して他の部位に送信することができる。
また、受信部２４０は、更新前コンフィグデータ２１２に記憶された周波数やチャネルの電波信号を受信するように、制御部２００により制御される。
【００２３】
電源部２５０は、無線受信機２０−１の各部位に所定の電圧・電流を供給するための電源である。この電源部２５０は、電灯線（ＡＣ）に接続されたＡＣアダプターからの直流（ＤＣ）電圧やバッテリーからの直流電圧を供給することができる。図示しないスイッチにより、電源部２５０の電圧・電流の供給をＯＮ／ＯＦＦにすることもできる。
また、電源部２５０は、タイマ手段により、所定の日時に電圧・電流の供給をＯＮ／ＯＦＦにすることもできる。また、電源部２５０は、制御部２００により各部位を個別にＯＮ／ＯＦＦし、スタンバイ（低消費電力）状態と完全な可動状態へ移行させることもできる。
【００２４】
なお、無線受信機２０−１は、バッテリ・バックアップのリアルタイムクロック等のクロック手段を別途備えていてもよい。
また、無線受信機２０−１は、外部のコンフィグ情報書換え装置や記憶媒体やネットワーク等と接続して、更新用コンフィグデータ１２１を取得し、更新できるように構成してもよい。
また、無線受信機２０−１は、マイクとＡ／Ｄコンバータ等の音声入力手段や、スイッチやマウス等の入力手段により、更新用コンフィグデータ１２１の更新の指示を行うように構成してもよい。
【００２５】
（記憶部２１０の構成）
記憶部２１０は、基本的にあまり書き換えを行わない保存記憶領域２１４と、受信部２４０で受信した電波信号を復号した一時データを記憶するバッファ等である一時記憶領域２１５を備えている。
このうち、保存記憶領域２１４には、制御プログラム２１１と、更新前コンフィグデータ２１２（更新前コンフィグ情報）と、一旦受信して更新の日時まで記憶される更新用コンフィグデータ１２１（受信済みの更新用コンフィグ情報）を記憶している。
一時記憶領域２１５には、別途、受信した更新用コンフィグデータ１２１（更新用コンフィグ情報）を記憶する。さらに、一時記憶領域２１５には、受信された更新指示データ１２２（更新指示信号、更新起動電文）を記憶する。
【００２６】
制御プログラム２１１は、基地局装置１からの音声／文字放送の電波信号を受信して再生し、更新用コンフィグデータ１２１の更新等を行うプログラムやデータ等である。
制御プログラム２１１は、制御部２００により実行される。
【００２７】
更新前コンフィグデータ２１２は、無線受信機２０−１が音声／文字放送を受信して無線通信システムＸを運用するために必要な各種設定等を記憶するデータ等である。更新前コンフィグデータ２１２は、後述するグループや受信数端数等、更新用コンフィグデータ１２１と同様の構成を備えている。更新前コンフィグデータ２１２は、工場出荷時又は前回の更新時に、記憶部２１０に記憶される。
これに加え、更新前コンフィグデータ２１２には、更に無線受信機２０−１のファームウェアや機器の設定、音声出力用の音声波形データや文字データ、表示部に表示する文字データやフォントデータ等を更に記憶していてもよい。
【００２８】
更新用コンフィグデータ１２１は、基地局装置３から受信した個別番号や所属グループ番号等のコンフィグ情報である。
この更新用コンフィグデータ１２１は、複数回受信される。よって、制御部２００は、一時記憶領域２１５に、一旦、受信した更新用コンフィグデータ１２１を記憶する。
この上で、制御部２００は、データに妥当性があり新しい場合、既に保存記憶領域２１４に記憶されている更新用コンフィグデータ１２１と、一時記憶領域２１５に記憶された更新用コンフィグデータ１２１とを置き換えることができる。
その後、保存記憶領域２１４に記憶された更新用コンフィグデータ１２１は、更新指示データ１２２の取得後、整合性をチェックされた後で、更新日時情報（図３）に従って、更新前コンフィグデータ２１２を書き換えて更新するために用いられる。つまり、更新前コンフィグデータ２１２の少なくとも一部が、更新指示データ１２２の更新日時情報で指定された日時に、保存記憶領域２１４に記憶された更新用コンフィグデータ１２１により上書き等され、更新される。
この更新用コンフィグデータ１２１の詳細構成については後述する。
【００２９】
更新指示データ１２２は、更新指示信号であり、更新用コンフィグデータ１２１の整合性を示すデータを含んでいる。
更新指示データ１２２の詳細についても後述する。
【００３０】
（更新用コンフィグデータ１２１の構成）
次に、図３を参照し、更新用コンフィグデータ１２１の詳細構成について説明する。
【００３１】
更新用コンフィグデータ１２１は、データ管理バージョン、更新日時情報、データサイズ、グループ設定、受信周波数設定、仕向地設定、タイマ設定、更新文字情報、更新音声情報、及びチェックサムを含んで構成される。
【００３２】
データ管理バージョンは、更新用コンフィグデータ１２１の内容に係る属性を記憶している。
すなわち、データ管理バージョンは、更新用コンフィグデータ１２１のバージョン、リリース、リビジョン等の改変情報や、サイン情報、公開暗号鍵等も記憶する。
また、データ管理バージョンは、無線受信機２０−１〜２０−ｎのうち屋外受信機や屋内の戸別受信機向けであるかについて記憶することもできる。
【００３３】
更新日時情報は、更新用コンフィグデータ１２１により更新前コンフィグデータ２１２を更新する際の年月日分秒等の日時等（以下、「日時」という。）を記憶している。この日時は、更新を行う１週間〜数ヶ月前程度が事前通知のための期間として好適である。
なお、この更新日時情報は、現時点からのクロック数のカウント数等を用いて記憶してもよい。また、更新日時情報は、基地局装置１による更新用コンフィグデータ１２１の作成／更新／送信の日時を記憶することもできる。
【００３４】
データサイズは、更新用コンフィグデータ１２１のデータのサイズを例えばバイト単位で記憶する。これにより、電波状況による受信の失敗の場合、受信途中の無線受信機２０−１の電源部２５０がＯＦＦである場合、受信した更新用コンフィグデータ１２１のデータのサイズが不正であった場合等の際、制御部２００は、チェックサム等を参照するまでもなく異常データとして破棄できる。
【００３５】
グループ設定は、所属グループを示す番号や個別番号等を含むＩＤ（Ｉｄｅｎｔｉｆｉｃａｔｉｏｎ）等の情報を記憶している。
無線受信機２０−１〜２０−ｎは、それぞれ複数のグループに所属することができ、基地局装置１での放送の呼び出し電文に、このＩＤを設定することで、任意の無線受信機２０−１〜２０−ｎに対し放送や更新用コンフィグデータ１２１の受信や交信を指示することができる。
また、グループ設定は、市町村コードや地区コード、消防署や民生委員宅といった個別コード等を記憶してもよい。
【００３６】
受信周波数設定は、無線受信機２０−１が受信する受信方式、秘密暗号化鍵、周波数、物理／論理チャネル等を記憶している。
制御部２００は、この受信周波数設定により、受信部２４０を制御する。
【００３７】
仕向地設定は、無線受信機２０−１〜２０−ｎの仕向地毎に異なる機能の有効無効を設定する設定情報である。
仕向地毎に異なる機能としては、言語仕様、ブザーの有無、文字放送の送受信を行う／行わない、他の地域／災害無線との連携、要看護老人のセンサとの連携、スタンバイからの復帰が可能か否か等を設定できる。
また、仕向地設定には、無線受信機２０−１が設置された住所や家庭や戸主名等を記憶してもよい。
【００３８】
タイマ設定は、ユーザに対して、表示部２２０のＬＥＤ表示や音声出力部２３０で更新に係る報知を行うための設定やタイミング等を記憶している。この設定やタイミング等としては、例えば、更新日の１ヶ月前、１週間前、３日前、１日前、所定時間前、所定分前といった時間に、どのメッセージを音声／文字出力したり、どのＬＥＤを点灯したりといった設定を記憶する。
また、タイマ設定は、無線通信方式におけるプロトコルやタイミング等の情報についても記憶する。加えて、タイマ設定は、制御部２００のクロック数のカウントや、リアルタイムクロックを用いるか等の設定を記憶する。
【００３９】
更新文字情報は、更新に係る文字情報を記憶する。
すなわち、表示部２２０で文字放送が文字表示可能な場合、更新やエラーに係る「２０１Ｘ年Ｘ月Ｘ日、午後Ｘ時に内部データを更新します。電源を切らないで下さい」「内部データ更新中です。絶対に電源を切らないで下さい」「更新データの受信／更新に失敗しました。サービスマンに電話して下さい」といった文字情報を記憶している。
【００４０】
更新音声情報は、更新文字情報と同様に、音声出力用の音声波形データや文字データを記憶する。データ量を少なくするために、音声波形データは圧縮されていてもよい。
【００４１】
チェックサムは、更新用コンフィグデータ１２１のチェックサムやＳＨＡ−１のハッシュデータ等である。チェックサムは、更新用コンフィグデータ１２１が正常に受信されたか否かの「妥当性」を検査するために用いることができる。
【００４２】
なお、更新用コンフィグデータ１２１には、無線受信機２０−１を制御するための制御プログラム２１１を更新するためのデータを含んでいてもよい。
【００４３】
（更新指示データ１２２の構成）
次に、更新指示データ１２２の構成について説明する。
データ管理バージョンは、更新用コンフィグデータ１２１のデータ管理バージョンと同様の情報を記憶する。これにより、制御部２００は、更新用コンフィグデータ１２１のバージョン等との整合性を確認することができる。
更新日時情報は、実際に更新を行う日時を記憶する。これにより、無線受信機２０−１は、更新指示データ１２２を受信しても、更新を行う日時になるまで更新前コンフィグデータ２１２の書き換えを行わないように構成できる。このため、更新する日時に柔軟性を持たせられる。
なお、更新指示データ１２２の更新日時情報には、更新用コンフィグデータ１２１の更新日時情報と同様の日時を記憶しても、別の日時を記憶してもよい。これにより、更新用コンフィグデータ１２１の更新日時情報と異なる日時において、コンフィグ情報の更新を行うことができ、更新の処理を柔軟に行うことができる。
【００４４】
〔基地局装置１のコンフィグ情報送信制御処理〕
次に、図４を参照して、基地局装置１によるコンフィグ情報送信制御処理について説明する。
本発明の実施の形態に係るコンフィグ情報送信制御処理では、基地局装置１が、無線受信機２０−１〜２０−ｎに対して更新用コンフィグデータ１２１を複数回送信し、その後、更新指示データ１２２を送信し、更新の指示をする。つまり、基地局装置１は、更新用コンフィグデータ１２１と、実際に更新を行う際の更新指示信号を分けて送信する。これにより、更新の成功率を向上させることができる。
以下で、本実施形態のコンフィグ情報送信制御処理について、ステップ毎に詳しく説明する。
【００４５】
ステップＳ１０１において、基地局装置１の遠隔制御部１２は、更新用コンフィグデータ／日時設定処理を行う。
具体的には、遠隔制御部１２は、基地局装置１の管理者による放送卓１１からの指示を検知して、更新用コンフィグデータ１２１及び更新指示データ１２２を作成し記憶する。また、遠隔制御部１２は、無線通信システムＸにおけるグループの統合・分割、市町村の合併等のコンフィグ情報の更新が必要となる時期や設定の情報を図示しないネットワーク等を介して読み出し、自動的に更新用コンフィグデータ１２１及び更新指示データ１２２を作成することもできる。
この作成の際、遠隔制御部１２は、特定されたグループに所属する無線受信機２０−１〜２０−ｎに対応する更新用コンフィグデータ１２１及び更新指示データ１２２を作成する。この際に、遠隔制御部１２は、更新用コンフィグデータ１２１及び更新指示データ１２２毎にユニーク（独自）なデータ管理バージョンを作成する。
【００４６】
ステップＳ１０２において、基地局装置１の遠隔制御部１２は、更新用コンフィグデータ送信処理を行う。
具体的には、遠隔制御部１２は、更新用コンフィグデータ１２１から、例えば固定系無線通信で送信可能な電文形式の電波信号を作成する。そして、遠隔制御部１２は、更新日時情報に設定された更新日時までの間に、放送卓１１を介して送信部１０から、複数回の電波信号の送信を行う。遠隔制御部１２は、対応するグループに属する受信機群２の無線受信機２０−１〜２０−ｎに対して、対応する周波数やチャネルでの電波送信を行う。この際、引っ越し等を行った個別の無線受信機２０−１〜２０−ｎのＩＤに対応した電波送信を行うこともできる。電波送信における送信回数及び送信間隔は、無線通信システムＸの設置環境、更新日時までの期間等に応じて管理者により任意に設定できる。
このように、更新用コンフィグデータ１２１を、更新日時の前に無線受信機２０−１〜２０−ｎへ複数回送信することで、更新用コンフィグデータ１２１が正確に受信される確率を向上させることができる。
【００４７】
ステップＳ１０３において、基地局装置１の遠隔制御部１２は、更新日時データ送信処理を行う。
この処理では、遠隔制御部１２は、更新する日時の所定期間の前に、更新指示データ１２２を無線受信機２０−１〜２０−ｎに送信する。この所定期間としては、更新用コンフィグデータ１２１の更新日時情報に記憶された日時から、少なくとも更新指示データ１２２を無線受信機２０−１〜２０−ｎが充分受信可能な時間間隔を用いる。
具体的に、遠隔制御部１２は、更新指示データ１２２から固定系無線通信で送信可能な電文形式の電波信号を作成する。この上で、遠隔制御部１２は、設定された更新日時に、放送卓１１を介し、送信部１０から、対応する無線受信機２０−１〜２０−ｎに対して電波信号の送信を行う。
以上により、コンフィグ情報送信制御処理を終了する。
なお、更新指示データ１２２に関しても、複数回送信してもよい。その場合も、更新指示データ１２２の更新日時情報に対応する所定期間内に行う。
【００４８】
〔無線受信機２０−１のコンフィグ情報受信制御処理〕
次に図３を参照し、本発明の実施の形態に係る無線通信システムＸの子局である無線受信機２０−１を代表例として、コンフィグ情報受信制御処理について詳しく説明する。
無線受信機２０−１は、更新用コンフィグデータ１２１を受信して、既に受信済の更新用コンフィグデータ１２１と同一か否かの整合性を判断する。そして、無線受信機２０−１は、同一であれば新たに受信した更新用コンフィグデータ１２１を破棄する。
この上で、無線受信機２０−１は：
・更新用コンフィグデータ１２１を正しく受信できなかった場合
・更新用コンフィグデータ１２１に含まれる更新の日時までに更新指示データ１２２を受信できなかった場合
・更新用コンフィグデータ１２１に対応しない更新指示データ１２２を受信した場合
に、エラーを報知する。
それ以外の場合は、更新指示データ１２２を受信して、更新の日時になった際に、実際の更新を行う。
このコンフィグ情報受信制御処理は、ハードウェア資源を用いて、無線受信機２０−１の制御部２００が、主に記憶部２１０内の制御プログラム２１１を用いて実行することで実現することができる。
以下で、本実施形態のコンフィグ情報受信制御処理の各ステップについて、詳細に説明する。
【００４９】
ステップＳ２０１において、制御部２００は、受信処理を行う。
具体的に、制御部２００は、無線受信機２０−１のグループやＩＤに対応する電波信号を、受信部２４０から受信して復号する。この上で、制御部２００は、復号したデータを一時データとして、記憶部２１０の一時記憶領域２１５に記憶する。
この上で、制御部２００は、当該一時データの内容をチェックする。ここでは、制御部２００は、一時データを解析して、音声／文字放送のデータ、更新用コンフィグデータ１２１、更新指示データ１２２等の種別を判別する。また、制御部２００は、チェックサム等を参照してデータの妥当性を判断し、電波状況等で受信に失敗し、正しく受信できず、内容が不正となったデータは破棄する。
【００５０】
ステップＳ２０２において、制御部２００は、受信した一時データが更新用コンフィグデータ１２１であるか否かを判定する。
Ｙｅｓ、つまり一時データが更新用コンフィグデータ１２１であった場合は、制御部２００は処理をステップＳ２０３に進める。
Ｎｏ、つまりそれ以外の場合は、制御部２００は処理をステップＳ２０７に進める。
【００５１】
ステップＳ２０３において、制御部２００は、受信した一時データが更新用コンフィグデータ１２１の場合、更新が必要であるか否かを判定する。
具体的に、制御部２００は、一時データが更新用コンフィグデータ１２１であるか解析する。制御部２００は、更新用コンフィグデータ１２１であった場合は、更にデータ管理バージョン、更新日時情報等を解析する。この上で、制御部２００は、データ管理バージョンが異なる等の更新用コンフィグデータ１２１が記憶部２１０の保存記憶領域２１４に記憶されており、置き換えが必要な場合は、Ｙｅｓと判定する。それ以外の場合は、Ｎｏと判定する。
Ｙｅｓの場合は、制御部２００は処理をステップＳ２０４に進める。
Ｎｏの場合は、制御部２００は処理をステップＳ２０６に進める。
【００５２】
ステップＳ２０４にて、制御部２００は、更新用コンフィグデータ記憶処理を行う。
具体的には、制御部２００は、妥当性があり置き換えが必要な場合、一時記憶領域２１５に記憶された一時データの更新用コンフィグデータ１２１を、既に記憶部２１０の保存記憶領域２１４に記憶されていた更新用コンフィグデータ１２１と置き換える。この置き換えは、上書きコピーをしても、各更新用コンフィグデータ１２１のアドレスを示すポインタ等を変更し置き換えてもよい。
すなわち、記憶部２１０の保存記憶領域２１４には、データの妥当性がありデータ管理バージョンが新しい更新用コンフィグデータ１２１が記憶される。
これにより、新しい更新用コンフィグデータ１２１を受信した場合、ユーザの手間をかけることなく、制御部２００により更新を行うことができる。
【００５３】
ステップＳ２０５において、制御部２００は、更新日時報知処理を行う。
この処理では、制御部２００は、表示や音声にて無線受信機２０−１のユーザに更新日時を通知する。
具体的に、制御部２００は、記憶部２１０に記憶された更新用コンフィグデータ１２１を読み出す。そして、制御部２００は、更新日時情報を参照し、設定されている更新の日時を取得する。この上で、制御部２００は、タイマ設定に従った所定間隔で、更新音声情報に係るメッセージを音声出力部２３０から報知する。加えて、制御部２００は、表示部２２０に文字情報を表示できる場合、表示部２２０に更新文字情報のメッセージを報知する。
これにより、ユーザに対して、更新を行う日時に、無線受信機２０−１の電源を切らないように通知することができる。
なお、図示しない無線受信機２０−１のスイッチ等を用いて、この更新の日時をユーザが、所定範囲で変更することもできる。この場合、制御部２００は、更新用コンフィグデータ１２１の更新日時情報を、ユーザの指示により、変更することができる。これにより、夜中に無線受信機２０−１の電源をＯＦＦにするユーザでも、ＯＦＦにしない時間で更新できるため、更新の確実性とユーザの利便性が高まる。また、逆に、ユーザが日中留守等であった場合、放送を受信しなくても支障がないため、所定時間かかる更新を行うことが好適である。
【００５４】
ステップＳ２０６において、制御部２００は、一時データ破棄処理を行う。
具体的に、制御部２００は、妥当性がないか、複数送信により同一の更新用コンフィグデータ１２１を受信した場合、一時記憶領域２１５に記憶された更新用コンフィグデータ１２１を破棄、つまりクリア（消去）する。
制御部２００は、この破棄についても、ポインタ等の消去により行ってもよい。
【００５５】
ステップＳ２０７において、制御部２００は、一時記憶領域２１５に記憶した一時データが更新指示データ１２２であるか否かを判定する。
Ｙｅｓ、つまり一時データが更新指示データ１２２であった場合は、制御部２００は処理をステップＳ２０８に進める。
Ｎｏ、つまりそれ以外の場合、制御部２００は、処理をステップＳ２１０に進める。
【００５６】
ステップＳ２０８において、制御部２００は、更新指示データ１２２と、更新用コンフィグデータ１２１とに整合性があるか否かを判定する。
ここでは、制御部２００は、記憶部２１０の保存記憶領域２１４に既に記憶されている更新用コンフィグデータ１２１を読み出す。そして、制御部２００は、更新用コンフィグデータ１２１のデータ管理バージョンと、受信した更新指示データ１２２のデータ管理バージョンを比較する。制御部２００は、同一のデータ管理バージョンであった場合、整合性がある（Ｙｅｓ）と判定する。また、既に同じデータ管理バージョンの更新用コンフィグデータ１２１を更新していた場合にも整合性がある（Ｙｅｓ）と判定する。それ以外の場合、整合性がない（Ｎｏ）と判定する。また、妥当性がある更新用コンフィグデータ１２１が受信できていない状態で、更新用コンフィグデータ１２１を受信した場合も整合性がない（Ｎｏ）と判定する。
Ｙｅｓの場合は、制御部２００は処理をステップＳ２０９に進める。
Ｎｏの場合は、制御部２００は処理をステップＳ２１１に進める。
【００５７】
ステップＳ２０９において、制御部２００は、更新処理を行う。
具体的には、更新指示データ１２２と整合性のある更新用コンフィグデータ１２１を受信していた場合、制御部２００は、更新前コンフィグデータ２１２を更新用コンフィグデータ１２１で少なくとも一部を上書きして書き換える。
この際、制御部２００は、更新指示データ１２２の更新日時情報に記憶された日時までタイマー手段で待ってから、更新を行うことができる。また、制御部２００は、更新の日時の所定時間前に、電源部２５０のスイッチをＯＮにしたり、スタンバイ状態から復帰するように制御することもできる。
更新後、制御部２００は、更新用コンフィグデータ１２１を消去する。
なお、制御部２００は、更新指示データ１２２の更新日時情報の日時が、更新用コンフィグデータ１２１の更新日時情報の日時と異なる場合、更新指示データ１２２の日時を用いることができる。これにより、更新の日時がアップデートされた場合でも、いちいち更新指示データ１２２を変更する必要がなくなる。
また、制御部２００は、ユーザにより更新日時情報の日時が変更されていた場合は、そちらの日時を優先することもできる。
また、制御部２００は、更新後に、更新前コンフィグデータ２１２の更新日時情報へ、実際に更新した日時を記憶することもできる。
【００５８】
更新中、制御部２００は、表示部２２０のＬＥＤを更新中を示す色と点灯パターンで点灯させる。また、制御部２００は、表示部２２０の液晶ディスプレイ等に文字情報を表示できる場合、更新用コンフィグデータ１２１の更新文字情報から「内部データ更新中です。絶対に電源を切らないで下さい」といったメッセージを表示する。
さらに、制御部２００は、音声出力部２３０から同様のメッセージを音声出力する。しかしながら、例えば更新の日時が夜中で音声出力に配慮する必要がある場合には、音声出力をしないように設定することもできる。
更新に成功した場合、制御部２００は、表示部２２０のＬＥＤや液晶ディスプレイ等にその旨を表示し、音声出力部２３０から報知する。
その後、制御部２００は、以降の動作を、新しくなった更新前コンフィグデータ２１２により行う。
以上により、コンフィグ情報受信制御処理を終了する。
【００５９】
ステップＳ２１０において、制御部２００は、更新日時を過ぎたか否かを判定する。
ここでは、制御部２００は、記憶部２１０の保存記憶領域２１４に記憶された更新用コンフィグデータ１２１の更新日時情報を読み出す。そして、制御部２００は、クロック手段を参照し、既に更新するための日時を過ぎていた場合には、Ｙｅｓと判定する。それ以外の場合はＮｏと判定する。
Ｙｅｓの場合は、制御部２００は処理をステップＳ２１１に進める。
Ｎｏの場合は、制御部２００はコンフィグ情報受信制御処理を終了して、受信を待つ待機状態となる。また、制御部２００は、一時データが文字放送の文字信号の場合、表示部２２０に表示し、音声放送の音声信号の場合は音声出力部２３０から出力する。
【００６０】
ステップＳ２１１において、制御部２００は、更新エラー報知処理を行う。
具体的に、制御部２００は、更新用コンフィグデータ１２１と整合性がとれない更新指示データ１２２を受信したり、更新用コンフィグデータ１２１の更新日時情報の日時を過ぎていた場合、コンフィグ情報の更新が正しく行われなかった、すなわちエラーであると判断する。
この場合、制御部２００は、表示部２２０のＬＥＤにエラー表示を行う。そして、制御部２００は、音声出力部２３０から更新用コンフィグデータ１２１の更新音声情報を読み出し、「更新に失敗しました、システム管理者に連絡して下さい」等のメッセージを音声出力部２３０から出力して、更新エラーをユーザに報知する。また、文字を出力できる場合には、更新文字情報から、同様のメッセージを表示部２２０に表示して、更新エラーの報知を行うこともできる。
これにより、エラーが起こった場合、迅速に市町村や地区責任者などの管理者やサービスマンに連絡し、無線受信機２０−１を効率的に稼働させることができる。また、グループが変更になった等で、防災無線等で重要な連絡をユーザが聞き逃すことを避けることが可能になる。
以上により、コンフィグ情報受信制御処理を終了する。
【００６１】
以上のように構成することで、以下のような効果を得ることができる。
本発明の実施の形態に係る無線システムＸにおいては、基地局装置１から更新用コンフィグデータ１２１を複数回送信することで、受信の可能性が高まる。これにより、更新の成否を応答として返信するような送信機能がない固定系無線通信の無線受信機２０−１〜２０−ｎにおいても、更新用コンフィグデータ１２１の更新失敗の確率を低減でき、確実に更新をさせることができる。
また、本実施形態の無線システムＸは、更新用コンフィグデータ１２１と更新指示データ１２２を分けて送信することで更新の整合性や妥当性をチェックでき、更新させたい更新用コンフィグデータ１２１を更新できる。加えて、受信した更新指示データ１２２と整合性のある更新用コンフィグデータ１２１のみを更新に用いるため、無線通信システムＸを、サービスマン等の手間を少なくして、容易に正常運用することができる。さらに、更新用コンフィグデータ１２１と更新指示データ１２２とに更新日時情報を含ませるため、管理者やユーザの都合で更新の日時が変更になった場合でも柔軟に対応できる。
また、本実施形態の無線システムＸは、無線受信機２０−１〜２０−ｎにて、エラー時に表示及び音声による報知を行うことで、コンフィグ情報の更新の失敗をより確実に管理者やサービスマン等に通知することができる。これにより、管理者やサービスマン等が更新失敗となった無線受信機２０−１〜２０−ｎの存在を知って、対応を行うことが可能となる。
これにより、本発明の実施の形態に係る無線システムＸは、更新用コンフィグデータ１２１の更新後に、基地局装置１が更新内容に合わせた運用を開始しても、更新が失敗した無線受信機２０−１〜２０−ｎにて音声／文字放送の電波信号が受信できない等の運用に支障をきたす可能性を減らすことができる。
【００６２】
以上説明したように、本発明をまとめると、以下のような特徴を備えている。
本発明の固定系無線通信システムは、受信専用の無線受信機のコンフィグ情報の更新において、更新用のコンフィグ情報の送信を複数回行うことで、データの正確性を向上させることを特徴とする。
また、本発明の固定系無線通信システムは、受信専用の無線受信機のコンフィグ情報更新において、コンフィグ更新データの送信とコンフィグ更新起動電文を別途送信し、内容をチェックすることで更新の前に整合性を確認することを特徴とする。
また、本発明の固定系無線通信システムの無線受信機は、受信したコンフィグ更新データの整合性をチェックし、不整合であった場合、音声及び表示にてユーザに報知することで、管理者に通知させることを特徴とする。
【００６３】
なお、上記実施の形態の構成及び動作は例であって、本発明の趣旨を逸脱しない範囲で適宜変更して実行することができることは言うまでもない。
【符号の説明】
【００６４】
１、３  基地局装置
２  受信機群
１０  送信部
１１  放送卓
１２、１３  遠隔制御部
２０−１〜２０−ｎ、２３  無線受信機
１２１  更新用コンフィグデータ
１２２  更新指示データ
１３１  コンフィグ情報
２００  制御部
２１０  記憶部
２１１  制御プログラム
２１２  更新前コンフィグデータ
２１４  保存記憶領域
２１５  一時記憶領域
２２０  表示部
２３０  音声出力部
２４０  受信部
２５０  電源部
Ｘ、Ｙ  無線通信システム
【図１】
0005931451.tif 000002
【図２】
0005931451.tif 000003
【図３】
0005931451.tif 000004
【図４】
0005931451.tif 000005
【図５】
0005931451.tif 000006
【図６】
0005931451.tif 000007